(57)【要約】【課題】防水部材とボルトとの摺動による防水部材の損傷を防止でき、シール性を確保することができるコネクタを提供する。【解決手段】被嵌合部３を有する第１ハウジング５と、嵌合部７を有する第２ハウジング９と、被嵌合部３内に設けられたボルト締結部１３と、嵌合部７に設けられたボルト支持穴１５とを備え、ボルト支持穴１５にボルト１１を挿通し、ボルト締結部１３にボルト１１を締結するこにより、第１ハウジング５と第２ハウジング９との嵌合状態を保持するコネクタ１において、第２ハウジング９に、ボルト支持穴１５と連通してボルト１１の挿入方向に延設され、ボルト締結部１３の外周に配置される延設部１７を設け、被嵌合部３と嵌合部７との間に、被嵌合部３の内部と外部とを区画する第１防水部材１９を設け、被嵌合部３と延設部１７との間に、被嵌合部３の内部と延設部１７の内部とを区画する第２防水部材２１を設けた。【選択図】図２
2015082417.tif 000002
【特許請求の範囲】
【請求項１】
筒状の被嵌合部を有する第１ハウジングと、前記被嵌合部の内周側に嵌合される嵌合部を有する第２ハウジングと、前記被嵌合部内に設けられ内部にボルトを締結可能な筒状のボルト締結部と、前記嵌合部に設けられ前記ボルト締結部と連通して前記ボルトの挿入状態を保持するボルト支持穴とを備え、前記ボルト支持穴に前記ボルトを挿通し、前記ボルト締結部に前記ボルトを締結するこにより、前記第１ハウジングと前記第２ハウジングとの嵌合状態を保持するコネクタであって、
前記第２ハウジングには、前記ボルト支持穴と連通して前記ボルトの挿入方向に延設され、前記ボルト締結部の外周に配置される延設部が設けられ、
前記被嵌合部と前記嵌合部との間には、前記被嵌合部と前記嵌合部とに密着し、前記被嵌合部の内部と外部とを区画する第１防水部材が設けられ、
前記被嵌合部と前記延設部との間には、前記被嵌合部と前記延設部とに密着し、前記被嵌合部の内部と前記延設部の内部とを区画する第２防水部材が設けられていることを特徴とするコネクタ。
【請求項２】
請求項１記載のコネクタであって、
前記第１ハウジングは、筐体の壁部に設けられた孔部に組付けられ、
前記第１ハウジングと前記孔部との間には、前記第１ハウジングと前記孔部とに密着し、前記筐体の内部と外部とを区画する第３防水部材が設けられていることを特徴とするコネクタ。
【発明の詳細な説明】
【技術分野】
【０００１】
本発明は、コネクタに関する。
【背景技術】
【０００２】
従来、コネクタとしては、筒状の被嵌合部を有する第１ハウジングとしての雄ハウジングと、被嵌合部の内周側に嵌合される嵌合部を有する第２ハウジングとしての雌ハウジングと、被嵌合部内に設けられ内部にボルトを締結可能な筒状のボルト締結部と、嵌合部に設けられボルト締結部と連通してボルトの挿入状態を保持するボルト支持穴としての筒部とを備え、筒部にボルトを挿通し、ボルト締結部にボルトを締結するこにより、雄ハウジングと雌ハウジングとの嵌合状態を保持するものが知られている（例えば、特許文献１参照）。
【０００３】
このコネクタでは、雌ハウジングの表面が防水部材としてのグロメットに覆われ、このグロメットが被嵌合部と嵌合部との間と、ボルトと筒部との間とに密着して配置され、雄ハウジングの被嵌合部の内部と外部とを区画して防水されている。
【先行技術文献】
【特許文献】
【０００４】
【特許文献１】特開平１０−７４５５９号公報
【発明の概要】
【発明が解決しようとする課題】
【０００５】
しかしながら、上記特許文献１のようなコネクタでは、防水部材をボルトとボルト支持穴との間に設けているので、第１ハウジングと第２ハウジングとの嵌合状態をボルトで保持する際に、必ずボルトと防水部材とが摺動する。
【０００６】
このため、第１ハウジングと第２ハウジングとの嵌合を繰り返し行うと、ボルトとの摺動により、防水部材のシール面が損傷し、防水部材によるシール性が低下してしまう恐れがあった。
【０００７】
そこで、この発明は、防水部材とボルトとの摺動による防水部材の損傷を防止でき、シール性を確保することができるコネクタの提供を目的としている。
【課題を解決するための手段】
【０００８】
請求項１記載の発明は、筒状の被嵌合部を有する第１ハウジングと、前記被嵌合部の内周側に嵌合される嵌合部を有する第２ハウジングと、前記被嵌合部内に設けられ内部にボルトを締結可能な筒状のボルト締結部と、前記嵌合部に設けられ前記ボルト締結部と連通して前記ボルトの挿入状態を保持するボルト支持穴とを備え、前記ボルト支持穴に前記ボルトを挿通し、前記ボルト締結部に前記ボルトを締結するこにより、前記第１ハウジングと前記第２ハウジングとの嵌合状態を保持するコネクタであって、前記第２ハウジングには、前記ボルト支持穴と連通して前記ボルトの挿入方向に延設され、前記ボルト締結部の外周に配置される延設部が設けられ、前記被嵌合部と前記嵌合部との間には、前記被嵌合部と前記嵌合部とに密着し、前記被嵌合部の内部と外部とを区画する第１防水部材が設けられ、前記被嵌合部と前記延設部との間には、前記被嵌合部と前記延設部とに密着し、前記被嵌合部の内部と前記延設部の内部とを区画する第２防水部材が設けられていることを特徴とする。
【０００９】
このコネクタでは、被嵌合部と嵌合部との間に、被嵌合部と嵌合部とに密着し、被嵌合部の内部と外部とを区画する第１防水部材が設けられているので、第１防水部材によって水などが被嵌合部の外部から内部に侵入することを防止することができる。
【００１０】
また、被嵌合部と延設部との間には、被嵌合部と延設部とに密着し、被嵌合部の内部と延設部の内部とを区画する第２防水部材が設けられているので、ボルトとボルト支持穴との間に防水部材を設けなくとも、第２防水部材によってボルト支持穴から侵入した水などが被嵌合部の内部に侵入することを防止することができる。
【００１１】
従って、このようなコネクタでは、第１ハウジングと第２ハウジングとの嵌合状態をボルトで保持する際に、第２防水部材とボルトとが摺動することがなく、防水部材とボルトとの摺動による防水部材の損傷を防止でき、シール性を確保することができる。
【００１２】
請求項２記載の発明は、請求項１記載のコネクタであって、前記第１ハウジングは、筐体の壁部に設けられた孔部に組付けられ、前記第１ハウジングと前記孔部との間には、前記第１ハウジングと前記孔部とに密着し、前記筐体の内部と外部とを区画する第３防水部材が設けられていることを特徴とする。
【００１３】
このコネクタでは、第１ハウジングと孔部との間に、第１ハウジングと孔部とに密着し、筐体の内部と外部とを区画する第３防水部材が設けられているので、第３防水部材によって水などが筐体の外部から内部に侵入することを防止することができる。
【発明の効果】
【００１４】
本発明によれば、防水部材とボルトとの摺動による防水部材の損傷を防止でき、シール性を確保することができるコネクタを提供することができるという効果を奏する。
【図面の簡単な説明】
【００１５】
【図１】本発明の実施の形態に係るコネクタの斜視図である。
【図２】本発明の実施の形態に係るコネクタの断面図である。
【図３】本発明の実施の形態に係るコネクタを筐体に組付けたときの断面図である。
【図４】本発明の実施の形態に係るコネクタの分解斜視図である。
【図５】本発明の実施の形態に係るコネクタの第１ハウジングの分解斜視図である。
【図６】本発明の実施の形態に係るコネクタの第２ハウジングの分解斜視図である。
【図７】本発明の実施の形態に係るコネクタの第２ハウジングの斜視図である。
【図８】本発明の実施の形態に係るコネクタの第２ハウジングの分解斜視図である。
【図９】本発明の実施の形態に係るコネクタの断面図である。
【発明を実施するための形態】
【００１６】
図１〜図９を用いて本発明の実施の形態に係るコネクタについて説明する。
【００１７】
本実施の形態に係るコネクタ１は、筒状の被嵌合部３を有する第１ハウジング５と、被嵌合部３の内周側に嵌合される嵌合部７を有する第２ハウジング９と、被嵌合部３内に設けられ内部にボルト１１を締結可能な筒状のボルト締結部１３と、嵌合部７に設けられボルト締結部１３と連通してボルト１１の挿入状態を保持するボルト支持穴１５とを備えている。
【００１８】
このコネクタ１では、ボルト支持穴１５にボルト１１を挿通し、ボルト締結部１３にボルト１１を締結するこにより、第１ハウジング５と第２ハウジング９との嵌合状態を保持する。
【００１９】
また、第２ハウジング９には、ボルト支持穴１５と連通してボルト１１の挿入方向に延設され、ボルト締結部１３の外周に配置される延設部１７が設けられている。
【００２０】
そして、被嵌合部３と嵌合部７との間には、被嵌合部３と前記嵌合部７とに密着し、被嵌合部３の内部と外部とを区画する第１防水部材１９が設けられ、被嵌合部３と延設部１７との間には、被嵌合部３と延設部１７とに密着し、被嵌合部３の内部と延設部１７の内部とを区画する第２防水部材２１が設けられている。
【００２１】
また、第１ハウジング５は、筐体２３の壁部２５に設けられた孔部２７に組付けられ、第１ハウジング５と孔部２７との間には、第１ハウジング５と孔部２７とに密着し、筐体２３の内部と外部とを区画する第３防水部材２９が設けられている。
【００２２】
図１〜図９に示すように、第１ハウジング５は、合成樹脂などの絶縁性材料からなり、直方体形状の被嵌合部３が設けられている。この被嵌合部３は、第２ハウジング９の嵌合部７が内周側に嵌合され、一側面側に嵌合部７を挿入可能な開口部３１が設けられ、他側面側に複数の端子（不図示）が挿入される端子挿入部３３が設けられている。
【００２３】
この第１ハウジング５の端子挿入部３３には、複数の端子を挿入可能な複数の孔３５が設けられ、複数の端子のタブ状の接続部がそれぞれ挿入され、複数の端子の接続部が被嵌合部３内に配置される。
【００２４】
なお、第１ハウジング５に収容される端子としては、筐体２３内に収容された機器（不図示）などに接続された電線の端末部に圧着などによって接続された雄型端子、或いはＬ字状に形成され、一端側が端子挿入部３３の孔３５に挿入され、他端側が筐体２３内に収容された回路基板（不図示）などに電気的に接続された基板接続端子など、筐体２３内に収容された構成に対して適宜選択することができる。
【００２５】
この第１ハウジング５には、被嵌合部３の開口部３１の外周側にフランジ状の固定部３７が設けられ、筐体２３の壁部２５に設けられた孔部２７に第１ハウジング５を挿入し、固定部３７をボルトなどの固定手段を介して壁部２５に固定することにより、第１ハウジング５の筐体２３に対する収容状態が保持される。
【００２６】
このような第１ハウジング５の被嵌合部３の内周側には、開口部３１から第２ハウジング９の嵌合部７が挿入されて嵌合される。
【００２７】
第２ハウジング９は、合成樹脂などの絶縁性材料からなり、第１ハウジング５の被嵌合部３内に嵌合可能な直方体形状の嵌合部７が設けられている。この嵌合部７の両側には、それぞれ収容部３９，３９が設けられ、サブハウジング４１，４１がそれぞれ収容されている。
【００２８】
サブハウジング４１は、合成樹脂などの絶縁性材料からなり、第２ハウジング９の収容部３９内に嵌合可能な直方体形状に形成されている。このサブハウジング４１には、複数の端子収容孔４３が形成され、それぞれ複数の端子（不図示）が収容され、内部に撓み可能に設けられた係止ランス４５によって抜け止めがなされる。
【００２９】
第２ハウジング９に収容される端子は、電源や機器などに接続された電線の端末部に圧着などによって接続された箱状の接続部を有する雌型端子からなる。この端子は、第１ハウジング５と第２ハウジング９とが嵌合することにより、第１ハウジング５に収容された端子に電気的に接続される。
【００３０】
このような端子を収容するサブハウジング４１には、開口面側に電線が密着して挿通される複数の孔を有するマットシール４７が組付けられ、電線に沿ってサブハウジング４１内に水などが侵入することが防止されている。なお、マットシール４７は、サブハウジング４１に組付けられるマットシールカバー４９によって脱落が防止される。
【００３１】
このような第２ハウジング９は、嵌合部７を第１ハウジング５の被嵌合部３内に挿入することにより、嵌合部７と被嵌合部３とが嵌合され、第２ハウジング９のボルト支持穴１５にボルト１１を挿入し、第１ハウジング５のボルト締結部１３にボルト１１を締結させることにより、第１ハウジング５と第２ハウジング９との嵌合状態が保持される。
【００３２】
ボルト締結部１３は、第１ハウジング５と別体で四角形状の筒状に形成され、第１ハウジング５の端子挿入部３３の中央部に設けられた挿入孔５１に挿入され、第１ハウジング５の被嵌合部３内の中央部に配置されている。また、ボルト締結部１３は、第１ハウジング５に対して不図示の係合手段によって一体に固定されている。
【００３３】
このボルト締結部１３には、内部にボルト１１が締結されるナットなどからなる被締結部材５３がインサート成形され、第１ハウジング５と第２ハウジング９とが嵌合した状態で、ボルト支持穴１５から挿入されるボルト１１が締結される。
【００３４】
ボルト支持穴１５は、第２ハウジング９の嵌合部７の中央部に第２ハウジング９を貫通して形成され、第１ハウジング５と第２ハウジング９とが嵌合した状態で、ボルト締結部１３と連通される。
【００３５】
このボルト支持穴１５は、ボルト１１が挿通された状態で、ボルト１１の外周を支持し、ボルト締結部１３に対するボルト１１の締結位置を保持する。このようなボルト支持穴１５のボルト１１が挿入される側と反対側の第２ハウジング９の側面には、延設部１７が設けられている。
【００３６】
延設部１７は、第２ハウジング９の側面からボルト１１の挿入方向に向けて第２ハウジング９と連続する一部材で四角形状の筒状に形成されている。また、延設部１７の内部は、ボルト支持穴１５に連通されている。
【００３７】
この延設部１７は、第１ハウジング５と第２ハウジング９とが嵌合した状態で、第１ハウジング５のボルト締結部１３の外周を覆うように、ボルト締結部１３の外周側に配置される。
【００３８】
このように構成されたコネクタ１において、第１ハウジング５の被嵌合部３と第２ハウジング９の嵌合部７との間、ボルト１１が挿入される空間側と被嵌合部３の内部空間側との間、第１ハウジング５と筐体２３との間には、隙間が形成されており、コネクタ１の外部から内部に向けて水などが侵入する恐れがある。
【００３９】
そこで、コネクタ１には、各隙間から水などが侵入することを防止するために、第１防水部材１９と、第２防水部材２１と、第３防水部材２９とが設けられている。
【００４０】
第１防水部材１９は、第１ハウジング５の被嵌合部３と第２ハウジング９の嵌合部７との間に配置され、合成ゴムなどの弾性材料からなり、被嵌合部３の内周面と嵌合部７の外周面とに密着している。
【００４１】
この第１防水部材１９は、図９の矢印で示すように、第２ハウジング９側から第１ハウジング５の被嵌合部３内に侵入しようとする水などの侵入を防止する。このような第１防水部材１９により、被嵌合部３と嵌合部７との間をシールすることができる。
【００４２】
第２防水部材２１は、第１ハウジング５の挿入孔５１と第２ハウジング９の延設部１７との間に配置され、合成ゴムなどの弾性材料からなり、挿入孔５１の内周面と延設部１７の外周面とに密着している。
【００４３】
この第２防水部材２１は、図９の矢印で示すように、ボルト支持穴１５に沿ってボルト締結部１３に侵入し、挿入孔５１から被嵌合部３内に侵入しようとする水などの侵入を防止する。このような第２防水部材２１により、ボルト支持穴１５及びボルト締結部１３と被嵌合部３との間をシールすることができる。
【００４４】
ここで、従来では、第２防水部材２１と同様のシール機能を有する防水部材が、ボルト１１とボルト支持穴１５との間に配置されていた。このため、ボルト１１の挿入や締結によるボルト１１との摺動によって、防水部材に損傷が生じ、防水部材のシール性が低下する恐れがあった。
【００４５】
これに対して第２防水部材２１は、ボルト１１の挿入や締結となんら干渉しない位置に配置されているので、ボルト１１と第２防水部材２１とが摺動することがなく、第２防水部材２１に損傷が生じることがなく、第２防水部材２１のシール性が低下することがない。
【００４６】
第３防水部材２９は、第１ハウジング５と筐体２３の孔部２７との間に配置され、合成ゴムなどの弾性材料からなり、第１ハウジング５の外周面と孔部２７の内周面とに密着している。
【００４７】
この第３防水部材２９は、第１ハウジング５の外周面から筐体２３内に侵入しようとする水などの侵入を防止する。このような第３防水部材２９により、第１ハウジング５と筐体２３との間をシールすることができる。
【００４８】
このようなコネクタ１では、被嵌合部３と嵌合部７との間に、被嵌合部３と嵌合部７とに密着し、被嵌合部３の内部と外部とを区画する第１防水部材１９が設けられているので、第１防水部材１９によって水などが被嵌合部３の外部から内部に侵入することを防止することができる。
【００４９】
また、被嵌合部３と延設部１７との間には、被嵌合部３と延設部１７とに密着し、被嵌合部３の内部と延設部１７の内部とを区画する第２防水部材２１が設けられているので、ボルト１１とボルト支持穴１５との間に防水部材を設けなくとも、第２防水部材２１によってボルト支持穴１５から侵入した水などが被嵌合部３の内部に侵入することを防止することができる。
【００５０】
従って、このようなコネクタ１では、第１ハウジング５と第２ハウジング９との嵌合状態をボルト１１で保持する際に、第２防水部材２１とボルト１１とが摺動することがなく、防水部材とボルト１１との摺動による防水部材の損傷を防止でき、シール性を確保することができる。
【００５１】
また、第１ハウジング５と筐体２３の孔部２７との間には、第１ハウジング５と孔部２７とに密着し、筐体２３の内部と外部とを区画する第３防水部材２９が設けられているので、第３防水部材２９によって水などが筐体２３の外部から内部に侵入することを防止することができる。
【００５２】
なお、本発明の実施の形態に係るコネクタでは、第１ハウジングとボルト締結部とが別体で形成されているが、これに限らず、第１ハウジングとボルト締結部とを連続する一部材として一体に形成してもよい。
【００５３】
このような場合にも、被嵌合部と延設部との間に第２防水部材を設けることにより、ボルト支持穴からボルト締結部に侵入した水などが被嵌合部内に侵入することを防止することができる。
【符号の説明】
【００５４】
１…コネクタ
３…被嵌合部
５…第１ハウジング
７…嵌合部
９…第２ハウジング
１１…ボルト
１３…ボルト締結部
１５…ボルト支持穴
１７…延設部
１９…第１防水部材
２１…第２防水部材
２３…筐体
２５…壁部
２７…孔部
２９…第３防水部材
【図１】
2015082417.tif 000003
【図２】
2015082417.tif 000004
【図３】
2015082417.tif 000005
【図４】
2015082417.tif 000006
【図５】
2015082417.tif 000007
【図６】
2015082417.tif 000008
【図７】
2015082417.tif 000009
【図８】
2015082417.tif 000010
【図９】
2015082417.tif 000011